(57)【要約】  【課題】  エンドキャップに取付け基板のない圧縮機や、取付け基板が圧縮機本体の周側面に設けられている横設置型の圧縮機が輸送の際の上下振動や振れ回りによって損傷するのを防止すること。  【解決手段】  円筒状の圧縮機本体２の両端部に皿状のエンドキャップ３、４が設けられ、且つ、圧縮機本体２の周側面に取付け基板８が設けられた複数の圧縮機１を下板１０と上板１１との間に挟み、固定するようにした圧縮機の梱包装置において、下板１０には圧縮機１の一方のエンドキャップ３が嵌め込まれる複数の段付きの嵌合穴１３が設けられ、下板１０と上板１１との間には圧縮機本体２が挿入される複数の挿通孔１９を有する中間板１２が設けられ、この中間板１２の下面には圧縮機１の取付け基板８を型取った形状の複数の凹部２０が設けられている。  【選択図】  図４
2006282209.tif 000002
【特許請求の範囲】
【請求項１】
円筒状の圧縮機本体の両端部に皿状のエンドキャップが設けられ、且つ、圧縮機本体の周側面に取付け基板が設けられた複数の圧縮機を下板と上板との間に挟み、固定するようにした圧縮機の梱包装置において、下板には圧縮機の一方のエンドキャップが嵌め込まれる複数の段付き嵌合部が設けられ、下板と上板との間には圧縮機本体が挿入される複数の挿入穴を有する中間板が設けられ、この中間板の下面には圧縮機の取付け基板に係合してこの圧縮機が回転しないように規制する複数の凹部が設けられていることを特徴とする圧縮機の梱包装置。
【請求項２】
円筒状の圧縮機本体の両端部に皿状のエンドキャップが設けられ、且つ、圧縮機本体の周側面に取付け基板が設けられた複数の圧縮機を下板と上板との間に挟み、固定するようにした圧縮機の梱包装置において、下板には圧縮機の一方のエンドキャップが嵌め込まれる複数の段付き嵌合部が設けられ、下板と上板との間には圧縮機本体が挿入される複数の挿入穴を有する中間板が設けられ、この中間板の下面には圧縮機の取付け基板を型取った形状の複数の凹部が設けられていることを特徴とする圧縮機の梱包装置。
【請求項３】
円筒状の圧縮機本体の両端部に皿状のエンドキャップが設けられ、且つ、圧縮機本体の周側面に取付け基板が設けられた複数の圧縮機を下板と上板との間に挟み、固定するようにした圧縮機の梱包装置において、下板には圧縮機の一方のエンドキャップが嵌め込まれる複数の段付き嵌合部が設けられ、下板と上板との間には圧縮機本体が挿入される複数の挿入穴を有する中間板が設けられ、この中間板の下面には取付け基板を型取った形状の複数の凹部が設けられ、前記圧縮機上部のエンドキャップには前記上板に上部が規制される紙管が被せられていることを特徴とする圧縮機の梱包装置。
【請求項４】
円筒状の圧縮機本体の両端部に皿状のエンドキャップが設けられ、且つ、圧縮機本体の周側面に取付け基板が設けられた複数の圧縮機を下板と上板との間に挟み、固定するようにした圧縮機の梱包装置において、下板には圧縮機の一方のエンドキャップが嵌め込まれる複数の段付き嵌合部が設けられ、この嵌合部には第1の紙管が嵌めこまれ、下板と上板との間には圧縮機本体が挿入される複数の挿入穴を有する中間板が設けられ、この中間板の下面には取付け基板を型取った複数の凹部が設けられ、前記上板に上部が規制される第２の紙管を前記圧縮機上部のエンドキャップに被せると共に前記中間板と上板との間に第３の紙管を配置することを特徴とする圧縮機の梱包装置。
【発明の詳細な説明】
【技術分野】
【０００１】
本発明は、複数の圧縮機の輸送や保管等に際して使用される圧縮機の梱包装置に関するものである。
【背景技術】
【０００２】
圧縮機は、例えば特許文献１に開示されているように円筒状の圧縮機本体の両端部に皿状のエンドキャップが設けられ、一方のエンドキャップには接続端子が突出して設けられるとともに、他方のエンドキャップには取付け基板が設けられている。
【０００３】
また、この種の圧縮機の梱包装置は、例えば特許文献２に開示されているように、複数の圧縮機を下板と上板との間に挟み、固定するようにしている。
【特許文献１】特開平６−２５５６７４号公報
【特許文献２】特開平１０−２１８２７５号公報
【発明の開示】
【発明が解決しようとする課題】
【０００４】
特許文献２で開示する圧縮機の梱包装置では、圧縮機下部のエンドキャップに取付け基板が設けられているため、この取付け基板を下板に直接固定したり、取付け基板を下板に嵌合させることにより、圧縮機を下板と上板との間に安定した状態で挟持することが可能である。
【０００５】
しかしながら、エンドキャップに取付け基板のない圧縮機や、取付け基板が圧縮機本体の周側面に設けられている横設置型の圧縮機では、輸送の際に不安定となり、上下振動や振れ回りにより圧縮機本体とエンドキャップとの溶接部等を損傷するなどの心配があった。
【０００６】
そこで本発明は、エンドキャップに取付け基板のない圧縮機や、取付け基板が圧縮機本体の周側面に設けられている横設置型の圧縮機が輸送の際の上下振動や振れ回りによって損傷するのを防止することを目的とする。
【課題を解決するための手段】
【０００７】
このため、第１の発明は、円筒状の圧縮機本体の両端部に皿状のエンドキャップが設けられ、且つ、圧縮機本体の周側面に取付け基板が設けられた複数の圧縮機を下板と上板との間に挟み、固定するようにした圧縮機の梱包装置において、下板には圧縮機の一方のエンドキャップが嵌め込まれる複数の段付き嵌合部が設けられ、下板と上板との間には圧縮機本体が挿入される複数の挿入穴を有する中間板が設けられ、この中間板の下面には圧縮機の取付け基板に係合してこの圧縮機が回転しないように規制する複数の凹部が設けられていることを特徴とする。
【０００８】
第２の発明は、円筒状の圧縮機本体の両端部に皿状のエンドキャップが設けられ、且つ、圧縮機本体の周側面に取付け基板が設けられた複数の圧縮機を下板と上板との間に挟み、固定するようにした圧縮機の梱包装置において、下板には圧縮機の一方のエンドキャップが嵌め込まれる複数の段付き嵌合部が設けられ、下板と上板との間には圧縮機本体が挿入される複数の挿入穴を有する中間板が設けられ、この中間板の下面には圧縮機の取付け基板を型取った形状の複数の凹部が設けられていることを特徴とする。
【０００９】
第３の発明は、円筒状の圧縮機本体の両端部に皿状のエンドキャップが設けられ、且つ、圧縮機本体の周側面に取付け基板が設けられた複数の圧縮機を下板と上板との間に挟み、固定するようにした圧縮機の梱包装置において、下板には圧縮機の一方のエンドキャップが嵌め込まれる複数の段付き嵌合部が設けられ、下板と上板との間には圧縮機本体が挿入される複数の挿入穴を有する中間板が設けられ、この中間板の下面には取付け基板を型取った形状の複数の凹部が設けられ、前記圧縮機上部のエンドキャップには前記上板に上部が規制される紙管が被せられていることを特徴とする。
【００１０】
第４の発明は、円筒状の圧縮機本体の両端部に皿状のエンドキャップが設けられ、且つ、圧縮機本体の周側面に取付け基板が設けられた複数の圧縮機を下板と上板との間に挟み、固定するようにした圧縮機の梱包装置において、下板には圧縮機の一方のエンドキャップが嵌め込まれる複数の段付き嵌合部が設けられ、この嵌合部には第1の紙管が嵌めこまれ、下板と上板との間には圧縮機本体が挿入される複数の挿入穴を有する中間板が設けられ、この中間板の下面には取付け基板を型取った複数の凹部が設けられ、前記上板に上部が規制される第２の紙管を前記圧縮機上部のエンドキャップに被せると共に前記中間板と上板との間に第３の紙管を配置することを特徴とする。
【発明の効果】
【００１１】
本発明は、エンドキャップに取付け基板のない圧縮機や、取付け基板が圧縮機本体の周側面に設けられている横設置型の圧縮機が輸送の際の上下振動や振れ回りによって損傷するのを防止することができる。
【発明を実施するための最良の形態】
【００１２】
以下図１乃至図１２に基づき、本発明の実施の形態について説明する。圧縮機１は図２及び図３に示すように、円筒状の圧縮機本体２の両端に皿上のエンドキャップ３、４が溶接により取り付けられている。エンドキャップ３の溶接部となる周縁部３Ａの近くには環状の平坦部３Ｂが設けられている。エンドキャップ４からは接続端子５が設けられている。また、圧縮機本体２にはアキュームレータ６が接続され、このアキュームレータ６は固定バンド７により圧縮機本体２に保持されている。圧縮機本体２の周側面下部には２つの取付け基板８が設けられており、圧縮機１は空気調和機等の機械室に取付け基板８を用いて取り付けられる横設置型である。
【００１３】
この圧縮機１は２５個を１セットとして梱包されるものであり、その梱包装置は図１及び図４に示すように、大きく分けてフォークリフトのアームが差し込み可能な木枠で作られたパレットなどの基台（図６参照）９と、この基台９の上に載置され複数枚のダンボールを貼り合わせてなる下板１０（図７参照）と、合板製（ベニヤ板）の上板１１（図８参照）と、圧縮機本体２が挿通され複数枚のダンボールを貼り合わせてなる中間板１２（図９参照）と、前記下板１０の平面視円形状の段付き嵌合穴（段付き嵌合部）１３に嵌め込まれた中空円筒状の第１の紙管１４（図１０照）と、エンドキャップ４を覆い且つ圧縮機本体２と上板１１との間に挟持され前記上板１１に上部が規制される中空円筒状の第２の紙管１５（図１１照）と、複数の圧縮機１の間（４箇所）に位置するように前記中間板１２と上板１１との間に挟持される中空円筒状の第３の紙管１６と、これらを覆う一面が開口した袋状の防水・防塵用のプラスチックシート１７（図１２照）と、これらを一体的に固定する締結バンド１８とからなる。
【００１４】
そして、図４及び図９示すように、前記中間板１２の下面には圧縮機１の取付け基板８を型取った形状の凹部２０が圧縮機本体２の挿通穴１９と連続して形成されている。また、中間板１２の上面には第３の紙管１６の設置場所を示す目印２１が４箇所に設けられている。
【００１５】
上述した圧縮機の梱包装置では、先ず基台９上に略同じ大きさの下板１０を載置し、下板１０の段付き嵌合穴１３に第１の紙管１４を嵌め込む。そして、段付き嵌合穴１３に圧縮機１のエンドキャップ３を嵌合する。このとき、エンドキャップ３の平坦部３Ｂが段付き嵌合穴１３の段差部１３Ａと、紙管１４の上端部とに当接する。次に、中間板１２を圧縮機１の上方から被せ、中間板１２の挿通穴１９に圧縮機本体２を挿通させると共に、中間板１２の凹部２０を圧縮機１の取付け基板８に係合させる（図４参照）。この中間板１２の凹部２０と取付け基板８との係合により、回転できないように規制し、圧縮機１の平面方向における回転が防止できる。
【００１６】
次に、圧縮機１のエンドキャップ４に上方から第２の紙管１５を被せ、中間板１２の目印２１にて指定された位置に圧縮機１を避けて第３の紙管１６を４個載置する。次に、上板１１を載せ、ポリエチレン等のプラスチックシート１７を被せてから締結バンド１８で固定する。また、前記紙管１４の高さは上端部が段差部１３Ａと面一になるようにしてある。もちろん、紙管１４は予め下板１０に嵌め込んだ状態で組み立てても良く、紙管１５、１６も同様である。
【００１７】
このように構成された圧縮機の梱包装置では、圧縮機１下部のエンドキャップ３が下板１０の段付き嵌合穴１３に嵌合し、輸送の際に安定的に保持されるばかりでなく、圧縮機１下部のエンドキャップ３の溶接部ではない平坦部３Ｂが段付き嵌合穴１３の段差部１３Ａにて支えられるため、上下振動があっても圧縮機本体２とエンドキャップ３との溶接部に大きな荷重がかからないようにできる。更に、段付き嵌合穴１３には紙管１４が嵌めこまれているため、上下振動があると、紙管１４が潰れやすくなり、紙管１４の緩衝作用により圧縮機１を保護できる。
【００１８】
また、取付け基板８が圧縮機本体２の周側面に設けられている横設置型の圧縮機１であっても、圧縮機本体２が挿入される中間板１２の下面には圧縮機１の取付け基板８を型取った形状の凹部２０が設けられているため、回り止めの作用が働き、輸送中に圧縮機１が振れ回るのを防止できる。この場合、例えば空気調和機等の機械室に、この圧縮機１を固定する場合に使用する取付け基板８を利用しているから、改まった特別な回り止め用の金具などは不要である。
【００１９】
更に、中間板１２と上板１１との間には紙管１５、１６が設けられているので、紙管１５によって圧縮機１上部のエンドキャップ４から突出した接続端子５を保護したり、中間板１２が上下振動によってずり上がって圧縮機本体２からはずれるのを紙管１６で阻止することができ、圧縮機１が輸送の際の上下振動や振れ回りによって損傷するのをより確実に防止できる。
【００２０】
以上のように、本発明は、エンドキャップに取付け基板のない圧縮機や、取付け基板が圧縮機本体の周側面に設けられている横設置型の圧縮機において、圧縮機下部のエンドキャップが下板の段付き嵌合部に嵌合し、輸送の際に安定的に保持されるばかりでなく、圧縮機下部のエンドキャップの溶接部ではない部分が段付き嵌合部の段差部にて支えられるため、上下振動があっても圧縮機本体とエンドキャップとの溶接部に大きな荷重がかからないようにでき、更に下板の嵌合部には第１の紙管が嵌めこまれているため、上下振動があると、紙管が潰れやすくなり、紙管の緩衝作用により圧縮機を保護できる。
【００２１】
更に、圧縮機本体が挿入される中間板の下面には圧縮機の取付け基板を型取った形状の複数の凹部が設けられているため、輸送中に圧縮機が振れ回るのを防止して輸送中に損傷しないようにできる。
【００２２】
また、取付け基板が圧縮機本体の周側面に設けられている横設置型の圧縮機において、さらに中間板と上板との間には第２の紙管及び第３の紙管が設けられているので、上述した効果に加えて、紙管によって圧縮機上部のエンドキャップから突出した接続端子を保護したり、中間板が上下振動によってずり上がって圧縮機本体からはずれるのを阻止することができ、圧縮機が輸送の際の上下振動や振れ回りによって損傷するのをより確実に防止できる。
【００２３】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものであり、例えば、下板、上板及び中間板と紙管を利用して圧縮機を上下方向に複数段階に積み上げ梱包しても良い。
【図面の簡単な説明】
【００２４】
【図１】圧縮機の梱包装置の斜視図である。
【図２】圧縮機の正面図である。
【図３】圧縮機の左側面図である。
【図４】圧縮機の梱包装置の要部断面図である。
【図５】圧縮機を下板に載置した状態の平面図である。
【図６】基台の斜視図である。
【図７】下板の平面図である。
【図８】上板の斜視図である。
【図９】中間板の平面図である。
【図１０】第１の紙管の斜視図である。
【図１１】第２の紙管の斜視図である。
【図１２】プラスチックシートの要部斜視図である。
【符号の説明】
【００２５】
１              圧縮機
２              圧縮機本体
３、４          エンドキャップ
３Ｂ            平坦部
８              取付け基板
９              基台
１０            下板
１１            上板
１２            中間板
１３            段付き嵌合穴（段付き嵌合部）
１４            第１の紙管
１５            第２の紙管
１６            第３の紙管
１９            挿通孔
２０            凹部
【図１】
2006282209.tif 000003
【図２】
2006282209.tif 000004
【図３】
2006282209.tif 000005
【図４】
2006282209.tif 000006
【図５】
2006282209.tif 000007
【図６】
2006282209.tif 000008
【図７】
2006282209.tif 000009
【図８】
2006282209.tif 000010
【図９】
2006282209.tif 000011
【図１０】
2006282209.tif 000012
【図１１】
2006282209.tif 000013
【図１２】
2006282209.tif 000014